(57)【要約】  【課題】  事務機器の操作に不慣れな人や、初めて複写機を使用する人など、誰でも始めから直感的に原稿紙の位置決めができ、所望の複写サイズやコピー用紙サイズを迷わずに、ミスなく円滑に選択して迅速にコピー操作することができ、無駄なコピーの失敗を大幅に削減できる新たな複写技術を提供する。  【解決手段】  スキャナ部、画像形成部、用紙搬送部を内蔵する本体ボディ１０天面の原稿ガラス板１１、および原稿ガラス板１１上を開閉自在とする抑え蓋１３を有し、本体ボディ１０内外の少なくとも何れか一方に、該原稿ガラス板面１１に対し、コピー用紙各サイズの基準枠２１，２１，……を表示可能な枠像照射部２を設けると共に、該枠像照射部２を制御可能な枠像制御部を組み込んでなる複写機１である。【選択図】    図１
2011166323.tif 000002
【特許請求の範囲】
【請求項１】
スキャナ部、画像形成部、用紙搬送部を内蔵する本体ボディ天面に、原稿ガラス板、および該原稿ガラス板上を開閉自在とする抑え蓋を有し、同原稿ガラス板の下がわとなる本体ボディ内か、または同原稿ガラス板の上がわとなる本体ボディ外かの少なくとも何れか一方に、当該原稿ガラス板面に対し、何れかの工業規格に準じるコピー用紙各サイズの基準枠を可視光表示可能な枠像照射部を設けると共に、これら基準枠サイズを自動および／または入力操作に応じて変更、消灯、照度を制御可能な枠像制御部を組み込んでなるものとしたことを特徴とする複写機。
【請求項２】
スキャナ部、画像形成部、用紙搬送部を内蔵する本体ボディ天面に、原稿ガラス板、および該原稿ガラス板上を開閉自在とする抑え蓋を有し、同原稿ガラス板の下がわとなる本体ボディ内か、または同原稿ガラス板の上がわとなる本体ボディ外かの少なくとも何れか一方に、当該原稿ガラス板面に対し、何れかの工業規格に準じるコピー用紙各サイズの基準枠を可視光表示可能な枠像照射部を設けると共に、これら基準枠サイズを自動および／または入力操作に応じて変更、消灯、照度を制御可能な枠像制御部を組み込んだ上、当該本体ボディに、抑え蓋の開閉を検知可能な開閉センサー、原稿ガラス板上の原稿紙の有無を検知可能、且つ、その原稿サイズを光学的に読み取り可能な原稿センサー、スキャナ部と画像形成部との間にあって、スキャナ部で読み取った画像をデジタル処理またはアナログ処理し、何れかの工業規格に準じるコピー用紙各サイズに対応した画像サイズに変換して画像形成部に出力可能な画像拡大・縮小部、および、各種入力操作が可能な操作パネルを内蔵まはた外装し、それらが枠像制御部に接続してなるものとしたことを特徴とする複写機。
【請求項３】
枠像照射部が、その表示可能な基準枠を、原稿ガラス板面中央から外がわに向けてＪＩＳ規格に基づくハガキサイズ、Ｂ５、Ａ４、Ｂ４、Ａ３の各サイズ夫々とし、それら各基準枠が互いに中央揃え配置の井型状に表示可能なものとした、請求項１または２何れか一方記載の複写機。
【請求項４】
原稿ガラス板面が、その外周縁の一辺に原稿基準線となる一直線状の原稿規制凸条を設け、枠像照射部が、その表示可能な基準枠を、該原稿規制凸条から当該原稿ガラス板面上の反対がわに向けてＪＩＳ規格に基づくハガキサイズ、Ｂ５、Ａ４、Ｂ４、Ａ３の各サイズ夫々の該原稿規制凸条揃え配置の井型状に表示可能なものとした、請求項１または２何れか一方記載の複写機。
【請求項５】
枠像照射部が、各基準枠に加えて中心照準用横軸線および／または中心照準用縦軸線を表示可能とした、請求項３または４何れか一方記載の複写機。
【請求項６】
枠像制御部が、抑え蓋の開閉を検知可能な開閉センサーに接続し、該開閉センサーが抑え蓋の開放を検出している間に亘って自動的に枠像照射部から各サイズの基準枠を投射、表示可能なものとした、請求項１ないし５何れか一項記載の複写機。
【請求項７】
枠像制御部が、原稿ガラス板上の原稿の有無を検知可能、且つ、その原稿サイズを光学的に読み取り可能な原稿センサーに接続し、該原稿センサーから原稿ガラス板上に原稿紙が置かれたことを知らせる信号を受けたときには、直ちに、当該原稿センサーで原稿サイズを読み取り、その検出原稿サイズに該当する基準枠だけを投射し、それ以外の検出原稿サイズに該当しない基準枠を消すか、または、検出原稿サイズに該当する基準枠の投射像照度を、それ以外の検出原稿サイズに該当しない各基準枠の投射像照度よりも高くするかの何れか一方とするよう枠像照射部を制御可能とした、請求項１ないし６何れか一項記載の複写機。
【請求項８】
枠像制御部が、スキャナ部と画像形成部との間にあって、スキャナ部で読み取った画像をデジタル処理またはアナログ処理し、何れかの工業規格に準じるコピー用紙各サイズに対応した画像サイズに変換して画像形成部に出力可能な画像拡大・縮小部に接続すると共に、拡大・縮小率または拡大・縮小後の用紙サイズを任意入力可能な操作パネルに接続し、該操作パネルに画像拡大・縮小の入力があったときには、直ちに、原稿紙に一致するサイズの基準枠、および、操作パネルからの入力値に一致する拡大・縮小率または拡大・縮小後の用紙サイズの基準枠の双方を、自動的に枠像照射部から原稿ガラス板上に投射、表示するよう制御可能とした、請求項１ないし７何れか一項記載の複写機。                                                                        
【発明の詳細な説明】
【技術分野】
【０００１】
この発明は、複写機に関連するものであり、特に複写機の製造係わる分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                            
【背景技術】
【０００２】
（着目点）
一般的な複写機は、その原稿ガラス板上に原稿紙を載せて位置決めし、抑え蓋を閉じてスタートボタン（コピーボタンなど）を操作して複写を開始するものであり、当該原稿紙を原稿ガラス板上に載せる際に、該原稿ガラス板の周囲に形成された矩形枠状部分に、原稿紙の１辺か、または、１角を挟み隣接する２辺かの何れかを当接させ、同矩形枠状部分に沿って表示されたＪＩＳ規格（日本工業規格）に準ずるハガキサイズ、Ｂ５、Ａ４、Ｂ４、Ａ３などの各サイズ夫々の目盛を目安に位置決めするものとなっているが、例えば、使い慣れたものとは異なる機種の複写機を初めて使用する場合などは、稿ガラス板周囲の矩形枠状部分に表示された目盛を見誤って原稿紙を縦横逆向きに合わせてしまったり、原稿紙の１辺を矩形枠状部分に中央揃えで位置決めしなければならないものを、原稿紙の１角を挟む２辺を矩形枠状部分の１隅に揃えて配置してしまったり、または、その逆に、原稿紙の１角を挟む２辺を矩形枠状部分の１隅に揃えて位置決めしなければならないものを、原稿紙の１辺を矩形枠状部分に中央揃えで位置決めしてしまったりしてしまうなど、なかなか始めの１枚から正確に複写することが難しく、何度か複写に失敗してコピー用紙を無駄にしながら、次第に正確な位置決めができるようになるというのが一般的であり、さらにまた、原稿紙サイズに一致するコピー用紙のトレー選択を誤ったり、拡大・縮小のサイズ（比率）およびトレーの選択を誤ったりと、始めの１枚から間違えることなく希望どおりのコピーを行うのが非常に難しいといわざるを得ないのが実情であった。
【０００３】
（従来の技術）
こうした状況を憂慮し、例えば、下記の特許文献１（１）に提案されているものに代表されるように、原稿ガラス板の載置面、または、その裏面に、原稿読取装置の光源光と同波長領域の可視光を透過可能な透光性色材を設け、原稿ガラス板上にコピー用紙サイズ毎の原稿載置用の目安線を複数表示可能としたものや、同特許文献１（２）に見られるような、原稿ガラス板周囲、矩形枠状部分の目盛に沿って複数個の発光素子を配し、それら発光素子を選択的に発光させて、原稿紙の位置決め作業を補助可能としたもの、または、例えば、特許文献１（３）のように、原稿ガラス板上の原稿紙を透過する光を発光可能な原稿セット用ランプを内蔵し、原稿紙の記載内容を透かし見てレイアウトを決めることができ、また、レーザー光源からの光が、選択した用紙サイズに対応するマークを原稿ガラス板上に形成可能で、コピー用紙と原稿サイズとを比較して複写することを可能としたものなどが散見される。
【０００４】
しかし、前者特許文献１（１）に示されているような原稿読取装置の光源光、原稿ガラス板の載置面、または、その裏面に設けた透光性色材を利用したものでは、各種原稿サイズを示す全ての目安線を表示できるから、原稿紙の位置決めを助けるものとなるが、コピー毎に異なる１つの原稿サイズの目安線のみを個別に切り換え表示することができず、コピー用紙（用紙トレー）の選択が正確に行われているか否かの確認が難しく、目的と異なる印刷サイズや用紙サイズにコピーしてしまう虞があり、特許文献１（２）の原稿ガラス板周囲に沿って発光素子を配したものなどは、原稿ガラス板中央がわ配置となる原稿角部の位置決めの目安がなく、原稿の縦横配置などを間違えてしまう虞があり、また、特許文献１（３）に代表するもののように、原稿透過用の原稿セット用ランプを内蔵し、レーザー光源から用紙サイズに対応するマークを投射可能としたものは、一対の伸縮アームの交叉させた先端に該レーザー光源を取り付け、そのレーザー光源をＸ−Ｙ座標上に移動させるように制御し、原稿ガラス板上に原稿サイズの角位置を投射表示可能としたものであり、同時に１つの原稿サイズ角位置しか表示できず、同時に複数サイズの原稿紙角位置を表示するには、同様の伸縮アームおよびレーザー光源を複数基組み合わせたものとしなければならないなど、その機械的構造が複雑で複写機価格の高騰を招いてしまうという致命的な欠点があった。                                                                                                
【特許文献１】（１）特開２００４−１４４８３２号公報    （２）特開平１１−２０２４２６号公報    （３）特開平９−５８９５号公報
【発明の開示】
【発明が解決しようとする課題】
【０００５】
（問題意識）
上述したとおり、従前までに提案のある各種複写機やフラット・ベッド・スキャナーなどは、何れも原稿ガラス板面に表示する各目安線の個別の発光、消灯などの細かな制御が困難であったり、目安線の個別表示や選択表示などを実現化するには、機械的機構に改良を加える必要があって、複雑で不経済なものとなってしまうという欠点があり、複写機を利用する企業や個人のように、コピー用紙やトナーなどの消耗品を経済的に使用し、コピーに要する時間を短縮して効率的に業務を進めたいと希望する人々、および、複写機を市場に提供する複写機業界にあっても永年に亘ってこうした課題の解決が望まれており、誰にでも始めから簡単に目的通りのコピー操作をミスなく円滑に行うことができるよう、進化する既存の複写機にも、更なる改善の必要性があるものと云える。
【０００６】
（発明の目的）
そこで、この発明は、事務機器の操作に不慣れな人や、初めて複写機を使用する人など、誰でも始めから直感的に原稿紙の位置決めができ、所望の複写サイズやコピー用紙サイズを迷わず、ミスなく円滑に選択して迅速にコピー操作することができ、無駄なコピーの失敗を大幅に削減できる新たな複写技術の開発はできないものかとの判断から、逸速くその開発、研究に着手し、長期に渡る試行錯誤と幾多の試作、実験とを繰り返してきた結果、今回、遂に新規な構造の複写機を実現化することに成功したものであり、以下では、図面に示すこの発明を代表する実施例と共に、その構成を詳述することとする。                                          
【課題を解決するための手段】
【０００７】
（発明の構成）
図面に示すこの発明を代表する実施例からも明確に理解されるように、この発明の複写機は、基本的に次のような構成から成り立っている。
即ち、スキャナ部、画像形成部、用紙搬送部を内蔵する本体ボディ天面に原稿ガラス板、および該原稿ガラス板上を開閉自在とする抑え蓋を有し、該原稿ガラス板の下がわとなる本体ボディ内か、または、該原稿ガラス板の上がわとなる本体ボディ外かの少なくとも何れか一方に、該原稿ガラス板面に対し、何れかの工業規格に準じるコピー用紙各サイズの基準枠を可視光表示可能な枠像照射部を設けると共に、該基準枠サイズを自動および／または入力操作に応じて変更、消灯、照度を制御可能な枠像制御部を組み込んでなるものとした構成を要旨とする複写機である。
【０００８】
この基本的な構成からなる複写機を、より具体的なものとして示すと、スキャナ部、画像形成部、用紙搬送部を内蔵する本体ボディ天面に原稿ガラス板、および該原稿ガラス板上を開閉自在とする抑え蓋を有し、該原稿ガラス板の下がわとなる本体ボディ内か、または、該原稿ガラス板の上がわとなる本体ボディ外かの少なくとも何れか一方に、該原稿ガラス板面に対し、何れかの工業規格に準じるコピー用紙各サイズの基準枠を可視光表示可能な枠像照射部を設けると共に、該基準枠サイズを自動および／または入力操作に応じて変更、消灯、照度を制御可能な枠像制御部を組み込んだ上、当該本体ボディに、抑え蓋の開閉を検知可能な開閉センサー、原稿ガラス板上の原稿紙の有無を検知可能、且つ、その原稿サイズを光学的に読み取り可能な原稿センサー、スキャナ部と画像形成部との間にあって、スキャナ部で読み取った画像をデジタル処理またはアナログ処理し、何れかの工業規格に準じるコピー用紙各サイズに対応した画像サイズに変換して画像形成部に出力可能な画像拡大・縮小部、および、各種入力操作が可能な操作パネルを内蔵まはた外装し、それらが枠像制御部に接続してなるものとした構成からなる複写機となる。                                                  
【発明の効果】
【０００９】
以上のとおり、この発明の複写機によれば、従前までのものとは違い、上記したとおりの固有の特徴ある構成から、原稿ガラス板面に可視光表示した各サイズの基準枠の中から、複写対象の原稿紙に最適なものを簡単に選択し、基準枠内に収まるよう正確に該原稿紙の位置決めができるものとなり、当該複写機を初めて使う利用者も、迷うことなく迅速に原稿紙の正確な位置決めと、誤りの無いコピー用紙サイズの選択とを可能にし、コピーミスに伴う紙の無駄と、トナーなどのインクその他の消耗とを大幅に削減し、コピー時間の短縮と経費の削減とを達成可能なものとすることができるという秀れた効果を発揮するものとなる。
【００１０】
加えて、各サイズの基準枠を、可視光表示可能な枠像照射部およびその枠像制御部に、抑え蓋の開閉を検知可能な開閉センサーと、原稿ガラス板上の原稿紙の有無を検知可能で、その原稿サイズを光学的に読み取り可能な原稿センサーとを組み込んでなる複写機は、抑え蓋の開閉状態や、原稿紙の有無、原稿サイズなどに応じて、各サイズの基準枠を全て投射したり、選択的に投射したり、選択的に照度を高低調節したり、選択的に消したり、または、全て消したりという様々な制御を自動的または半自動的に制御可能なものとすることができ、より一段と操作性に秀れたものとすることができる上、利用者による誤認や選択ミスなどを悉く防止可能とし、コピー時間の一層の短縮を達成可能とするものとなる。
【００１１】
また、当該枠像照射部およびその枠像制御部に、スキャナ部と画像形成部との間にある画像拡大・縮小部や操作パネルを電機的に連結してなるものは、操作パネルで入力された拡大率または縮小率に応じたサイズの基準枠だけを表示するか、同入力に応じたサイズの基準枠を高照度表示するように制御可能とするかなどして、拡大または縮小後のサイズを明確に示すものとすることができるから、拡大・縮小コピーの失敗を一段と確実に防止するという効果が得られるものとなる。
【００１２】
そして、各基準枠をＪＩＳ規格に基づくハガキサイズサイズ、Ｂ５、Ａ４、Ｂ４、Ａ３の各サイズ夫々とし、それら各基準枠が互いに中央揃え配置の井型状に表示可能としたものは、それら各サイズの原稿紙を、より正確に位置決めできる上、それらの各サイズに一致しないＪＩＳ規格外の原稿紙などの場合であっても、井型状に延伸された各基準枠の端部に沿って位置決め可能であり、矩形状や４隅だけを表示する基準枠ものに比較して、一段と位置決め作業性を高めたものとすることができる。
【００１３】
また、原稿ガラス板面外周縁の一辺に原稿規制凸条を設け、同原稿規制凸条揃え配置の各サイズの基準枠を井型状に表示可能としてなるものは、原稿規制凸条に原稿紙の対応する一辺を当接させて位置決めできるから、原稿紙の傾きによるコピーミスを格段に削減することができるものとなり、さらにまた、枠像照射部が、各基準枠に加えて中心照準用横軸線および／または中心照準用縦軸線を表示可能としてなるものは、それら中心照準用横軸線や中心照準用縦軸線を基準に、原稿紙の縦横配置バランスを一段と正確且つ簡単、迅速に調節できるようになる。
【００１４】
さらに、枠像制御部が、原稿センサーから原稿ガラス板上に原稿紙が置かれたことを知らせる信号を受けたとき、直ちに該原稿センサーで原稿サイズを読み取り、その検出原稿サイズに該当する基準枠のみを投射し、それ以外の検出原稿サイズに該当しない基準枠を消すか、または、検出原稿サイズに該当する基準枠の投射像照度を、それ以外の検出原稿サイズに該当しない各基準枠の投射像照度よりも高くするかの何れか一方とするように制御可能としたものは、原稿紙を正しい位置に置いたか否かを瞬時に確認することができるものとなり、利用者の操作上の迷いや確認に要する時間が発生せず、複写機操作の格段の迅速化と正確化とを確実に達成できる利点がある。
【００１５】
そして、枠像制御部が、操作パネルに画像拡大・縮小の入力があったときには直ちに、原稿紙に一致するサイズの基準枠、および、操作パネルからの入力値に一致する拡大・縮小率または拡大・縮小後の用紙サイズの基準枠の双方を、自動的に枠像照射部から原稿ガラス板上に投射、表示するよう制御可能としてなるものは、拡大・縮小寸法の誤認やコピー用紙サイズの選択ミスなどを、より一段と防止することができるようになって、複写作業の格段の効率化を実現化できる効果が得られる。                                      
【発明を実施するための最良の形態】
【００１６】
上記したとおりの構成からなるこの発明の実施に際し、その最良もしくは望ましい形態について説明を加えることにする。
本体ボディは、複写機の本体を構成するものであって、その天面に原稿ガラス板、および該原稿ガラス板上を開閉自在とする抑え蓋を装着可能であり、その内部に複写機に必須となるスキャナ部、画像形成部、用紙搬送部を内蔵可能とし、その内外適所には、この発明の特徴をなす枠像照射部およびその枠像制御部を組み込み可能とするものであり、それら各部品類を一体物として取り扱い可能とするよう装着、組み込み可能なものとしなければならず、従来型の複写機ボディと同様に、各部のメンテナンスを可能とするよう、開閉または分解・組み立て自在なものとするのが望ましい。
【００１７】
原稿ガラス板は、原稿紙の位置決め台としてや、スキャナ部による原稿読み取り透過板としてや、枠像照射部からの基準枠投射対象面（透明なスクリーン板）としての機能など、複合的な機能を同時に果たし得るものになるという機能を果たし、充分な強度を有する高精度な平滑平面体として各種複写機、投影機、スキャナーなどに十分に利用可能な品質のものとしなければならず、必要に応じて、さらに精密加工、焼き入れ強化、導電膜形成、波長選択膜形成、スクリーン印刷などを施したものとすることができる。
【００１８】
原稿規制凸条は、本体ボディ天面の原稿ガラス板外周縁に沿って一直線状に突出し、原稿紙周縁の一辺を当接、係合状にして位置決めできるようにするものであり、国内外を含む各種工業規格、例えばＪＩＳ規格に基づくハガキサイズ、Ｂ５、Ａ４、Ｂ４、Ａ３などの各サイズ夫々の各一辺の両端がわに相当する位置に凸部を形成したものや、それら各サイズ夫々の各一辺の長さを含む範囲に渡って波型の凸部を形成したものとすることができる他に、後述する実施例に示すように、各サイズ夫々の各一辺の長さを含む範囲に渡って定規型の凸条部を形成したものとすることができ、必要に応じて、各ＪＩＳ規格などに基づくハガキサイズ、Ｂ５、Ａ４、Ｂ４、Ａ３などの各サイズの一辺の長さに相当する箇所毎に、各サイズを示す刻印、浮き彫り、印刷などで表示したものとすることが可能である。
【００１９】
抑え蓋は、本体ボディ天面の原稿ガラス板上に、原稿面を下向きにして置いた原稿紙を、その背面がわから該原稿ガラス板上面に密着するよう抑え込み可能とすると共に、該原稿ガラス板上であって原稿紙の背後（上）がわとなる範囲を白色平滑面で覆う機能を果たすものであり、利用者の操作によって簡単に開閉可能なものとしなければならず、後述する実施例に示すように、開放した場合に、外部に設けた枠像照射部に干渉しないよう、折り畳み自在なものとすることができる外、原稿紙背面に当接する範囲に渡って発泡軟質樹脂製のクッションマットに合成樹脂製白色シートを貼着した厚板形状の弾性押圧部品を装着してなるものとすることができる。
【００２０】
スキャナ部は、原稿ガラス板上に載せた原稿紙面に光を照射し、その原稿情報を光学的、電機的に静止画像として読み取り可能とするものであり、原稿ガラス板下方に位置する本体ボディに内蔵したものとしなければならず、例えば、ＣＣＤ（電荷結合素子）や反射ミラー、グラスファイバーアレイなどを採用したものとすることができ、そして、画像形成部は、スキャナ部で読み取った画像をコピー用紙に印刷可能とするものであって現像ユニット、転写ユニット、定着ユニットなどからなっており、用紙搬送部は、コピー用紙を１枚ずつ給紙しては、画像形成部を通過させて排出するよう自動送り可能とするものであり、多重送りにならないよう、分離爪や分離ローラー、分離パッドなどを有するものとすべきである。
【００２１】
枠像照射部は、本体ボディ内外の何れか一方または双方の何れかから、原稿ガラス板面に対し、国内外を問わず各種工業規格の何れかに準じるコピー用紙各サイズの基準枠を可視光表示可能とするものであり、少なくとも該基準枠サイズを自動および／または入力操作に応じて変更、消灯、照度調節などを制御可能な枠像制御部と組み合わせてなるものとし、該原稿ガラス板の下がわとなる本体ボディ内か、または、同原稿ガラス板の上がわとなる本体ボディ外かの少なくとも何れか一方に設けたものとしなければならず、各サイズの基準枠の何れか選択したものを強調表示する場合には、照度調節による強調表示の他に、線巾調節による強調表示や照射可視光の色を変更して強調表示したり、各種破線や鎖線、波線などとして強調表示したり、それらを組み合わせて強調表示可能なものとすることができ、さらに、後述する実施例に示すように、投射基準枠を原稿ガラス板面中央から外がわに向けてＪＩＳ規格に基づくハガキサイズ、Ｂ５、Ａ４、Ｂ４、Ａ３の各サイズ夫々とし、それら各基準枠が互いに中央揃え配置の井型状に表示可能なものとすることが可能であり、また、原稿ガラス板面外周縁の一辺がわを原稿基準線とし、その表示可能な基準枠をＪＩＳ規格に基づくハガキサイズ、Ｂ５、Ａ４、Ｂ４、Ａ３の各サイズ夫々の該原稿基準線揃え配置の井型状に表示可能なものとすることが可能である外、各基準枠に加えて中心照準用横軸線および／または中心照準用縦軸線を表示可能としたものとすることが可能であり、その光源は各種ＬＥＤ（発光ダイオード）、各種レーザー発振機、白熱灯、蛍光灯、電子銃その他の発光体、および、それらの光を各種レンズ、各種ミラー、投影フィルム、各種走査装置などを用いて、該原稿ガラス板上に投射表示可能とするものとするのが望ましい。
【００２２】
枠像制御部は、枠像照射部が投射表示する基準枠サイズを自動および／または入力操作に応じて変更、消灯、照度などを制御可能とするものであり、複写機本体ボディ内か、または本体ボディ外の例えば枠像照射部内かの何れかに設けたものとするべきであり、後述する実施例に示すもののように、当該枠像制御部に、抑え蓋の開閉を検知可能な開閉センサー、原稿ガラス板上の原稿の有無を検知可能、且つ、その原稿サイズを光学的に読み取り可能な原稿センサー、スキャナ部と画像形成部との間にあって、スキャナ部で読み取った画像をデジタル処理またはアナログ処理し、何れかの工業規格に準じるコピー用紙各サイズに対応した画像サイズに変換して画像形成部に出力可能な画像拡大・縮小部、および、各種入力操作が可能な操作パネルを接続してなるものとすることが可能であり、抑え蓋の開閉を検知可能な開閉センサーに接続し、該開閉センサーが抑え蓋の開放を検知している間に亘って自動的に枠像照射部から各サイズの基準枠を投射、表示可能なものとするのが望ましい。
【００２３】
そして、当該枠像制御部は、原稿ガラス板上の原稿の有無を検知可能、且つ、その原稿サイズを光学的に読み取り可能な原稿センサーに接続し、該原稿センサーから原稿ガラス板上に原稿紙が置かれたことを知らせる信号を受けたとき、直ちに当該原稿センサーで原稿サイズを読み取り、その検出原稿サイズに該当する基準枠だけを投射し、それ以外の検出原稿サイズに該当しない基準枠を消すか、または、検出原稿サイズに該当する基準枠の投射像照度を、それ以外の検出原稿サイズに該当しない各基準枠の投射像照度よりも高くするかの何れか一方とするよう、枠像照射部を制御可能としてなるものとすることができる外、さらに、当該枠像制御部は、スキャナ部と画像形成部との間にあって、スキャナ部で読み取った画像をデジタル処理またはアナログ処理し、何れかの工業規格に準じるコピー用紙各サイズに対応した画像サイズに変換して画像形成部に出力可能な画像拡大・縮小部に接続すると共に、拡大・縮小率または拡大・縮小後の用紙サイズを任意入力可能な操作パネルに接続し、該操作パネルに画像拡大・縮小の入力があったときには、直ちに、原稿紙に一致するサイズの基準枠、および、操作パネルからの入力値に一致する拡大・縮小率または拡大・縮小後の用紙サイズの基準枠の双方を、自動的に枠像照射部から原稿ガラス板上に投射、表示するよう制御可能なものとすることができる。
【００２４】
開閉センサーは、抑え蓋の開閉状態を検知し、その検知結果を少なくとも枠像制御部に通知可能とする機能を果たすものであり、例えば抑え蓋の開閉状態を光学的に感知可能な光センサーや、物理的に検知可能なリミットセンサーなど各種のセンサーやスイッチ類などとすることができ、原稿センサーは、原稿ガラス板上の原稿の有無を検知可能であって、その原稿サイズを光学的に読み取り可能とし、その検知結果や読み取り結果などの情報を少なくとも枠像制御部に通知できるようにする機能を果たすものであり、例えば原稿紙の有無を検知可能な光センサーや、原稿紙のサイズを画像認識可能な小型カメラや画像処理装置、光学的計測装置、または、当該本体ボディに複写機能の一部として必ず搭載されているスキャナ部をそのまま利用したものなどとすることができる。
【００２５】
画像拡大・縮小部は、スキャナ部で読み取った画像をデジタル処理またはアナログ処理し、何れかの工業規格に準じるコピー用紙各サイズに対応した画像サイズに変換して画像形成部に出力可能とする機能を果たすものであり、操作パネルを介して入力された拡大率または縮小率に従って動作するものとしなければならず、各種工業規格に関わらず、百分率に基づく段階的または無段階的入力値に従って拡大・縮小率を入力設定および設定解除可能なものとすることができ、さらに、複写終了後や一定時間入力操作が行われない場合などには、後続者が行う複写作業の失敗を防止するため、自動的に拡大率または縮小率を１：１の比率に復帰するように自動制御可能なものとするのが望ましい。
【００２６】
操作パネルは、複写機を利用する者が、枠像制御部および枠像照射部を操作可能とするためのものであって、複写機本体ボディの適所や枠像照射部に露出するよう内蔵されたものとする外、本体ボディ外部にリモコンスイッチ類のように設けたものや、着脱自在に組み合わせたものなどとすることができ、複写枚数入力用のテンキーやキーボード類、複写濃度調節摘み、複写スタート（コピー開始）ボタンなどの各種スイッチ類、または、液晶タッチパネル、その他の位置入力装置類などと一体化したものとすることができる。
以下では、図面に示すこの発明を代表する実施例と共に、その構造について詳述することとする。                                                                                                            
【実施例１】
【００２７】
図１の抑え蓋を開放した枠像照射部内蔵複写機の側面図、図２の抑え蓋を開放した枠像照射部外装複写機の側面図、図３の基準枠の平面図、図４の強調投射する原稿紙一致の基準枠の平面図、図５の強調投射する拡大基準枠の平面図、図６の抑え蓋を閉鎖する枠像照射部内蔵複写機の側面図、図７の抑え蓋を閉鎖する枠像照射部外装複写機の側面図、図８の中心照準用横縦軸線を表示する基準枠の平面図、図９の原稿規制凸条揃え配置基準枠の平面図に示す事例は、本体ボディ１０天面の原稿ガラス板１１および抑え蓋１３を有し、該原稿ガラス板面１１に対し、コピー用紙各サイズの基準枠２１，２１，……を表示可能な枠像照射部２を設けると共に、該枠像照射部２を制御可能な枠像制御部を組み込んでなるものとした、この発明の複写機における代表的な一実施例を示すものである。
【００２８】
それら各図からも明確に把握できるとおり、この発明の複写機１は、その本体ボディ１０内に、図示しないスキャナ部、画像形成部、用紙搬送部を内蔵しており、同本体ボディ１０の天面に原稿ガラス板１１を搭載すると共に、該原稿ガラス板１１上を開閉自在とする折り畳み型の抑え蓋１３を着脱自在に組み込んだものとし、図１に示すように、該原稿ガラス板１１の中央直下となる本体ボディ１０内に、該原稿ガラス板１１下面にレーザー光を走査し、投射像を形成可能な枠像照射部２を設けたものとするか、または、図２に示すように、当該本体ボディ１０の外がわであって、該原稿ガラス板１１の周縁外がわとなる本体ボディ１０天面適所に植設し、該原稿ガラス板１１中央の鉛直上方適所まで円弧状に延伸した支持脚２０の上端に、該原稿ガラス板１１上面に同様に投射像形成可能な枠像照射部２を設けたものとするかの何れか一方としたものである。
【００２９】
当該枠像照射部２は、該原稿ガラス板面に対して、ＪＩＳ規格（日本工業規格）および／またはそれ以外の工業規格に準じるコピー用紙各サイズ、例えば図３に示すように、ＪＩＳ規格に基づくハガキサイズ、Ｂ５、Ａ４、Ｂ４、Ａ３の各サイズ夫々の基準枠２１，２１，……をレーザー可視光線の走査による静止画像として投射像表示可能なものとしてあり、該本体ボディ１０内には、各基準枠２１，２１，……サイズを自動および／または入力操作に応じて変更、消灯、照度を制御可能な枠像制御部を組み込んだ上、当該本体ボディ１０適所に、抑え蓋１３の開閉を検知可能な開閉センサー、原稿ガラス板１１上の原稿紙３の有無を検知可能、且つ、その原稿サイズを光学的に読み取り可能な原稿センサー、スキャナ部と画像形成部との間に電機的に接続してあり、スキャナ部で読み取った画像をデジタル処理またはアナログ処理し、例えばＪＩＳ規格に準じるコピー用紙各サイズに対応した画像サイズに変換して画像形成部に出力可能な画像拡大・縮小部（何れも図示せず）を内蔵し、さらに、本体ボディ１０の正面がわ外壁適所にはメインスイッチ、テンキー、拡大・縮小用調節ボタン、印刷濃度調節ボタン、用紙トレイ選択ボタン、複写スタートボタン、小型ディスプレイなどを有して各種入力操作が可能な操作パネル（図示せず）を外装してなるものである。
【００３０】
当該枠像制御部および枠像照射部２は、図８に示すように、原稿ガラス板１１に対して同心状配置とした井桁状の各基準枠２１，２１，……に加え、中心照準用横軸線２２および中心照準用縦軸線２３を表示可能であると共に、それら中心照準用横軸線２２および中心照準用縦軸線２３の交点である中央に、照準ポイント２４を表示可能なものとすることが可能であり、さらに、操作パネルからの入力操作によって、それら中心照準用横軸線２２、中心照準用縦軸線２３および照準ポイント２４を夫々個別に表示、非表示操作可能なものとすることができる。
【００３１】
図９に示すように、原稿ガラス板面１１外周縁の一辺に原稿基準線となる一直線状の原稿規制凸条１２を設け、枠像照射部２が表示する基準枠２１，２１，……を、該原稿規制凸条１２から当該原稿ガラス板面１１上の反対がわ外縁に向けて、例えばＪＩＳ規格に基づくハガキサイズ、Ｂ５、Ａ４、Ｂ４、Ａ３の各サイズ夫々の該原稿規制凸条１２揃え配置の井型状に表示可能なものとすることが可能である。
【００３２】
（実施例１の作用・効果）
以上のとおりの構成からなるこの発明の複写機１は、図１０の複写機制御のフローチャートに示すように、利用者の操作入力に応じて自動的に制御するものとしてあり、以下にコピー操作の手順に従って、実施例１の作用を示して行くこととする。
同図１０および図１（または図２）に示すように、メイン電源を供給Ａして抑え蓋１３を開放すると、開閉センサーが抑え蓋１３の開放を検知Ｂし、その検知信号を受けた枠像制御部が、本体ボディ１０内外の何れか一方に設けた枠像照射部２を制御し、同枠像照射部２から原稿ガラス板１１中央の上下面の何れか一方に、図３に示すように、例えばＪＩＳ規格に基づくハガキサイズ、Ｂ５、Ａ４、Ｂ４、Ａ３の各サイズ夫々の、互いに中央揃え配置の井型状とした各基準枠２１，２１，……を全て投射表示Ｃするものとなる。
【００３３】
図３、図４および図１０に示すように、利用者が、何れか一致するサイズの基準枠２１に合わせて原稿面を下向きにした原稿紙３を原稿ガラス板１１上に配置すると、原稿センサーが、原稿紙３の有無を自動検出Ｄし、その信号を受けた枠像制御部が、原稿紙３に一致するサイズの基準枠２１のみを強調するよう高照度表示Ｅし、それ以外の基準枠２１，２１，……を、図４中に二点鎖線で示すように、低照度表示とするよう枠像照射部２を制御する。
【００３４】
この段階で、利用者が、操作パネルに特定の基準枠２１を指定する入力Ｆした場合には、原稿センサーの読み取り値に関わらず、枠像制御部は、指定入力された基準枠２１のみを表示するよう枠像照射部２を制御Ｇするものとなり、さらに、図５および図１０に示すように、利用者が、操作パネルに拡大比率を入力Ｈすると、枠像制御部は、原稿紙３に一致するサイズの基準枠２１と、入力された拡大比率に応じた拡大サイズの基準枠２１との双方のみを投射表示するよう枠像照射部２を制御Ｊするものとしてあり、それ以外のサイズの基準枠２１は、図５に二点鎖線で示すように、不表示状態とする。
【００３５】
図６または図７、および図１０に示すように、利用者が、抑え蓋１３を閉じると開閉センサーがこれを検知Ｋし、その検知信号を受けた枠像制御部が、全ての基準枠２１，２１，……を消すよう枠像照射部２を制御Ｌし、利用者が、操作パネルにコピー枚数を入力Ｍすると、複写機１の当該スキャナ部、画像形成部、用紙搬送部用の制御装置（図示せず）が、コピー枚数を入力値に設定Ｎし、コピー枚数の入力が無い場合には、コピー枚数を１枚に自動設定Ｐするものとしてあり、利用者が、コピーのスタートボタンを操作Ｑすると、設定した枚数の複写を開始Ｒするよう制御し、利用者が、源源を切断Ｓすると複写機１の制御を終了Ｔするものとなる。
【００３６】
図２および図７に示してあるように、本体ボディ１０の天面適所に円弧状に延伸した支持脚２０にて枠像照射部２を外装してなる複写機１では、その抑え蓋１３を折り畳み型としてあることから、枠像照射部２に干渉することなく、開閉操作を円滑に行うことができる利点がある。
【００３７】
図８に示すように、各基準枠２１，２１，……に、中心照準用横軸線２２、中心照準用縦軸線２３および照準ポイント２４を追加表示可能としたものは、何れの基準枠２１，２１，……にも一致しないサイズの原稿紙３や、その原稿範囲の曖昧な位置決めを、より的確に行えるものとなり、原稿紙３位置決めの邪魔になる場合には、中心照準用横軸線２２、中心照準用縦軸線２３および照準ポイント２４の中の不要なものを個別にか、または全てか適宜消去可能であり、利用者による操作の自由度を一段と高めたものとすることができる。
【００３８】
図９に示すように、原稿ガラス板面１１外周縁の一辺に原稿基準線となる一直線状の原稿規制凸条１２を形成し、各基準枠２１，２１，……を該原稿規制凸条１２揃え配置の井型状に表示可能としたものは、該原稿規制凸条１２に対応する１辺を当接した上、対応する基準枠２１に原稿紙３（図９に図示せず）を合わせて配置することが可能となり、原稿紙３の傾き配置によるコピーミスを格段に削減可能なものにするという効果が得られるものとなる。
【００３９】
（結  び）
叙述の如く、この発明の複写機は、その新規な構成によって所期の目的を遍く達成可能とするものであり、しかも製造も容易であって従前からの複写技術に比較して格段に操作性を高めることができ、構造も簡素で低廉化し易く遥かに経済的なものとすることができる上、コピーミスを確実に防止してコピー作業の効率を大幅に改善し得るものとなることから、従前までは基準枠を明確に表示できずに頻繁にコピーミスを招いたり、構造が複雑化して複写機自体が高価なものとなってしまうなどして改良の難しさに直面する複写機業界や事務機器業界、家電業界は固よりのこと、操作ミスを確実に防いでコピー用紙やトナーなどの消費量を大幅に削減したいと願う各企業や一般家庭などにおいても高く評価され、広範に渡って利用、普及していくものになると予想される。                                                        
【図面の簡単な説明】
【００４０】
図面は、この発明の複写機の技術的思想を具現化した代表的な幾つかの実施例を示すものである。
【図１】抑え蓋を開放した枠像照射部内蔵複写機を示す側面図である。
【図２】抑え蓋を開放した枠像照射部外装複写機を示す側面図である。
【図３】基準枠を示す平面図である。
【図４】強調投射する原稿紙一致の基準枠を示す平面図である。
【図５】強調投射する拡大基準枠を示す平面図である。
【図６】抑え蓋を閉鎖する枠像照射部内蔵複写機を示す側面図である。
【図７】抑え蓋を閉鎖する枠像照射部外装複写機を示す側面図である。
【図８】中心照準用横縦軸線を表示する基準枠を示す平面図である。
【図９】原稿規制凸条揃え配置基準枠を示す平面図である。
【図１０】複写機の制御を示すフローチャートである。
【符号の説明】
【００４１】
１      複写機
１０    同  本体ボディ
１１    同  原稿ガラス板
１２    同  原稿規制凸条
１３    同  抑え蓋
２      枠像照射部
２０    同  支持脚
２１    同  基準枠
２２    同  中心照準用横軸線
２３    同  中心照準用縦軸線
２４    同  照準ポイント
３      原稿紙
Ａ      電源投入（制御開始）
Ｂ      抑え蓋開か？
Ｃ      全基準枠の表示
Ｄ      原稿紙の検出
Ｅ      原稿紙一致の基準枠を高照度表示
Ｆ      複写範囲入力有りか？
Ｇ      指定基準枠のみ表示
Ｈ      拡大・縮小入力有りか？
Ｊ      複写元および拡大・縮小後の基準枠を表示
Ｋ      抑え蓋閉か？
Ｌ      全基準枠消
Ｍ      複写枚数入力有りか？
Ｎ      入力枚数の設定
Ｐ      １枚に自動設定
Ｑ      スタートボタン操作有りか？
Ｒ      複写開始
Ｓ      電源停止？
Ｔ      制御終わり                                                                                              
【図１】
2011166323.tif 000003
【図２】
2011166323.tif 000004
【図３】
2011166323.tif 000005
【図４】
2011166323.tif 000006
【図５】
2011166323.tif 000007
【図６】
2011166323.tif 000008
【図７】
2011166323.tif 000009
【図８】
2011166323.tif 000010
【図９】
2011166323.tif 000011
【図１０】
2011166323.tif 000012